(57)【特許請求の範囲】
【請求項１】
ピン形状のオス端子が第１ハウジング内に収容されている第１コネクタ部と、
筒状のメス端子が第２ハウジングに収容されている第２コネクタ部と、を備え、
前記両ハウジングが嵌合された状態において、前記オス端子が前記メス端子に挿入され前記両端子が電気的に接続されているコネクタであって、
前記メス端子は、筒状の基端部と、前記基端部から前記オス端子の挿入側に延出されている複数の接触片を有し前記複数の接触片が筒状に配置されている端子挿入部と、を有し、
前記第２ハウジングは、前記メス端子に対して前記両ハウジングの嵌合方向にスライド可能に構成されており、
前記第２コネクタ部は、前記第２ハウジングと共にスライドするように設けられている押圧部材を備え、
前記押圧部材は、前記第２ハウジングのスライドに伴って、前記接触片に押圧力を付与しない非押圧位置と、前記接触片を内方に押圧して前記オス端子の外周面に接触させる押圧位置との間でスライド移動するように構成されており、
前記メス端子は、ケーブルの端部に設けられており、
前記第２コネクタ部は、少なくとも前記メス端子側の端部が前記第２ハウジングに収容されており前記ケーブルを保持するリテーナ部材と、前記リテーナ部材と前記ケーブル間との間に設けられているワイヤシールと、前記リテーナ部材と前記第２ハウジングとの間に配置され前記リテーナ部材の外周面と前記第２ハウジングの内周面との間をシールするリテーナ側シール部材と、を備え、
前記第２ハウジングは、前記リテーナ部材に対してスライド可能に構成されており、
前記リテーナ側シール部材は、前記第１ハウジングと前記第２ハウジングとが嵌合された後も前記リテーナ部材と前記第２ハウジングとの間に配置されている
コネクタ。
【請求項２】
前記端子挿入部は、前記オス端子の挿入側の端部に形成されている大径部と、前記大径部よりも前記基端部側に形成されている前記大径部よりも径が小さい小径部と、を有し、
前記オス端子は、前記両ハウジングが嵌合された状態において前記大径部に挿入されるように構成されており、
前記押圧部材は、前記メス端子を外方から囲む筒状に形成されており、前記第２ハウジングを嵌合方向後方にスライドさせたとき前記小径部の周囲に位置し、前記第２ハウジングを嵌合方向前方にスライドさせたとき前記大径部の周囲に位置し前記大径部の前記接触片を内方に押圧して前記オス端子の外周面に接触させるように構成されている、
請求項１に記載のコネクタ。
【請求項３】
前記押圧部材は、前記接触片を弾性的に押圧するように構成される、
請求項１または２に記載のコネクタ。
【請求項４】
前記第１コネクタ部は、前記両ハウジングが嵌合された状態において、前記メス端子の嵌合方向前方への移動を規制する規制手段を有し、
前記規制手段により、前記第２ハウジングの嵌合方向前方へのスライドに伴って前記メス端子が移動しないように構成されている、
請求項１乃至３の何れか１項に記載のコネクタ。
【発明の詳細な説明】
【技術分野】
【０００１】
本発明は、コネクタに関する。
【背景技術】
【０００２】
ハイブリッド車や電気自動車におけるモータとインバータとを接続する電路に設けられるコネクタとして、ピン形状のオス端子が第１ハウジング内に収容された第１コネクタ部と、筒状のメス端子が第２ハウジングに収容された第２コネクタ部と、を備え、両ハウジングを嵌合した際に、オス端子がメス端子に挿入され両端子が電気的に接続されるコネクタが知られている（例えば、特許文献１参照）。
【０００３】
特許文献１に記載のコネクタでは、メス端子が、略円筒状の基部と、基部から延出され内方に付勢された弾性接触片とを有し、オス端子をメス端子に挿入した際に、弾性接触片がオス端子の外周面に弾性接触される構造となっている。
【先行技術文献】
【特許文献】
【０００４】
【特許文献１】特開２０１５−１２５８６１号公報
【発明の概要】
【発明が解決しようとする課題】
【０００５】
しかしながら、特許文献１に記載のコネクタでは、弾性接触片による押圧力（ばね力）が強すぎると、オス端子を挿入する際にオス端子の表面や、メス端子における弾性接触片の表面に摩耗が発生し、端子に施されたメッキが剥がれる等の不具合が生じるおそれがある。
【０００６】
端子の摩耗を抑制するために、弾性接触片による押圧力（ばね力）を小さくした場合には、オス端子と弾性接触片との間に十分な押圧力が作用せず、振動による端子の位置ずれや、両端子間の接触抵抗の増加等の不具合が生じるおそれがある。
【０００７】
このように、振動による端子の位置ずれや接触抵抗の増加を抑制するためには、両端子間に付与される押圧力（ばね力）を大きくする必要があるが、従来のコネクタでは、両端子間に付与される押圧力を大きくすると端子に摩耗が発生してしまうという課題があった。
【０００８】
そこで、本発明は、端子間の押圧力を高めつつも端子の摩耗を抑制可能なコネクタを提供することを目的とする。
【課題を解決するための手段】
【０００９】
本発明は、上記課題を解決することを目的として、ピン形状のオス端子が第１ハウジング内に収容されている第１コネクタ部と、筒状のメス端子が第２ハウジングに収容されている第２コネクタ部と、を備え、前記両ハウジングが嵌合された状態において、前記オス端子が前記メス端子に挿入され前記両端子が電気的に接続されているコネクタであって、前記メス端子は、筒状の基端部と、前記基端部から前記オス端子の挿入側に延出されている複数の接触片を有し前記複数の接触片が筒状に配置されている端子挿入部と、を有し、前記第２ハウジングは、前記メス端子に対して前記両ハウジングの嵌合方向にスライド可能に構成されており、前記第２コネクタ部は、前記第２ハウジングと共にスライドするように設けられている押圧部材を備え、前記押圧部材は、前記第２ハウジングのスライドに伴って、前記接触片に押圧力を付与しない非押圧位置と、前記接触片を内方に押圧して前記オス端子の外周面に接触させる押圧位置との間でスライド移動するように構成されている、コネクタを提供する。
【発明の効果】
【００１０】
本発明によれば、端子間の押圧力を高めつつも端子の摩耗を抑制可能なコネクタを提供できる。
【図面の簡単な説明】
【００１１】
【図１】本発明の一実施の形態に係るコネクタの嵌合前の図であり、（ａ）は斜視図、（ｂ）は断面図である。
【図２】図１のコネクタの嵌合途中の図であり、（ａ）は斜視図、（ｂ）は断面図である。
【図３】図１のコネクタの嵌合後の図であり、（ａ）は斜視図、（ｂ）は断面図である。
【図４】（ａ）はオス端子の斜視図、（ｂ）は第１コネクタ部の斜視図である。
【図５】メス端子の斜視図である。
【図６】内部構造体の斜視図である。
【図７】リテーナ部材の分解斜視図である。
【図８】（ａ），（ｂ）は端子保護部材の斜視図である。
【図９】（ａ）は押圧部材の斜視図であり、（ｂ）は外部構造体の斜視図である。
【図１０】押圧部材とメス端子の位置関係を説明する図であり、（ａ）は嵌合前、（ｂ）は嵌合後の斜視図である。
【発明を実施するための形態】
【００１２】
［実施の形態］
以下、本発明の実施の形態を添付図面にしたがって説明する。
【００１３】
（コネクタの全体構成）
図１は、本実施の形態に係るコネクタの嵌合前の図であり、（ａ）は斜視図、（ｂ）は断面図である。図２は、本実施の形態に係るコネクタの嵌合途中の図であり、（ａ）は斜視図、（ｂ）は断面図である。図３は、本実施の形態に係るコネクタの嵌合後の図であり、（ａ）は斜視図、（ｂ）は断面図である。
【００１４】
図１〜３に示すように、コネクタ１は、ピン形状のオス端子４が第１ハウジング６内に収容されている第１コネクタ部２と、筒状のメス端子５が第２ハウジング７に収容されている第２コネクタ部３と、を備えている。
【００１５】
コネクタ１では、両ハウジング６，７を嵌合すると、オス端子４がメス端子５に挿入され両端子４，５が電気的に接続されるように構成されている。
【００１６】
コネクタ１は、例えば、ハイブリッド車や電気自動車において、モータとインバータとを接続する電路に設けられるものである。本実施の形態では、第１コネクタ部２がインバータに取り付けられると共に、第２コネクタ部３がモータ側から延出されたケーブル８の端部に取り付けられており、両コネクタ部２，３を嵌合させることで、インバータとモータとがコネクタ１を介して電気的に接続されるように構成されている。なお、これに限らず、例えば、第２コネクタ部３が機器側（インバータ側）、第１コネクタ部２がケーブル８側に設けられていてもよいし、第１コネクタ部２をケーブルの端部に設けケーブル同士を接続するようにコネクタ１を構成してもよい。
【００１７】
（第１コネクタ部２の構成）
図４（ａ）はオス端子４の斜視図、図４（ｂ）は第１コネクタ部２の斜視図である。
【００１８】
図４（ａ）に示すように、オス端子４は、一端にピン形状（円柱状）の端子部４ａが形成されると共に、他端に板状の機器側接続部４ｂが形成されている。端子部４ａの先端部は、メス端子５への挿入が容易となるように、丸みを帯びた形状に形成されている。オス端子４は、例えば、銅の表面に錫や銀等のめっきを施して構成される。本実施の形態では、モータとインバータ間で伝送される三相交流に対応して３つのオス端子４が備えられている。
【００１９】
図１〜３および図４（ｂ）に示すように、３つのオス端子４は、一直線状かつ等間隔に整列配置された状態で第１インナーハウジング９に支持され、第１インナーハウジング９を介して第１ハウジング６に固定されている。第１インナーハウジング９は、ナイロンやＰＰＳ（ポリフェニレンサルファイド）等の絶縁性の樹脂からなり、第１ハウジング６は、アルミニウム等の金属からなる。オス端子４と第１インナーハウジング９とは、インサート成形により一体に形成されている。
【００２０】
第１ハウジング６は、中空筒状の本体部６ａと、本体部６ａの嵌合方向後方の端部から側方に延出されたフランジ部６ｂと、を一体に構成してなる。第１コネクタ部２は、フランジ部６ｂをインバータ筐体に当接させた状態でインバータ筐体に固定することで、インバータに取り付けられる。
【００２１】
本体部６ａのフランジ部６ｂと反対側（嵌合方向前方）の端部には、第１ハウジング６を第２ハウジング７内に収容し両ハウジング６，７を嵌合させた際に、第１ハウジング６（本体部６ａ）の外周面と第２ハウジング７の内周面との間を水密にシールするハウジング間シール部材６ｃが設けられている。
【００２２】
また、本体部６ａには、その両側面（オス端子４の配列方向における両側面）から側方に突出し、両ハウジング６，７を嵌合する際のガイドの役割を果たすガイド突起６ｄが一体に形成されている。
【００２３】
第１インナーハウジング９は、第１ハウジング６のフランジ部６ｂ側の開口を塞ぐように設けられる蓋部９ａと、蓋部９ａから第１ハウジング６の内周面に沿うように第１ハウジング６内に延出された筒状の本体部９ｂと、蓋部９ａから本体部９ｂと反対側（嵌合方向後方）に突出する機器側突出部９ｃと、を一体に構成してなる。本体部９ｂの外周面には、本体部９ｂの外周面と第１ハウジング６の内周面との間を水密にシールするシール部材９ｄが設けられている。
【００２４】
各オス端子４は、その端子部４ａを第１ハウジング６内に収容し、かつ、機器側接続部４ｂを第１ハウジング６から嵌合方向後方に突出させた状態で第１インナーハウジング９に支持されている。各オス端子４の機器側接続部４ｂの先端部の表面は、機器側突出部９ｃから露出されており、機器側接続部４ｂの先端部の背面が機器側突出部９ｃに支持されるように構成されている。
【００２５】
オス端子４の機器側接続部４ｂには、図示しないインバータ側の端子との接続の際にボルトを通すためのボルト穴４ｃが形成されている。また、第１インナーハウジング９の機器側突出部９ｃには、オス端子４のボルト穴４ｃと連通し機器側突出部９ｃを貫通するボルト穴９ｅが形成されている。
【００２６】
オス端子４の端子部４ａの機器側接続部４ｂ側の端部には、端子部４ａよりも径が大きい大径部４ｄが形成されている。大径部４ｄは、その先端面（端子部４ａ側の面）が、第１インナーハウジング９の蓋部９ａにおける第１ハウジング６側の表面と一致するように構成されている。本実施の形態では、この大径部４ｄと、大径部４ｄの周縁の第１インナーハウジング９（蓋部９ａ）とが、第１ハウジング６と第２ハウジング７とを嵌合する際にメス端子５の嵌合方向前方への移動を規制する規制手段１０を構成する（詳細は後述する）。
【００２７】
（第２コネクタ部３の構成）
図５は、メス端子５とケーブル８の斜視図である。
【００２８】
図５に示すように、メス端子５は、ケーブル８の端部に設けられている。本実施の形態では、モータとインバータ間で伝送される三相交流に対応して３つのメス端子５および３本のケーブル８が備えられる。各ケーブル８は、銅等の電気良導体からなる素線を撚り合わせた撚線からなる導体８ａの外周を絶縁体からなるシース８ｂで被覆して構成されている。
【００２９】
メス端子５は、ケーブル８の先端にてシース８ｂから露出された導体８ａをかしめ固定するかしめ部５ａと、かしめ部５ａから前方に延出された板状の連結部５ｂと、連結部５ｂを介してかしめ部５ａと連結された筒状（ここでは角を丸めた角筒状）の基端部５ｃと、基端部５ｃから前方（オス端子４の挿入側）に延出された複数の接触片５１を有する端子挿入部５ｄと、を一体に構成してなる。メス端子５は、例えば、銅の表面に錫や銀等のめっきを施して構成される。
【００３０】
本実施の形態では、接触片５１を４つ有している場合を説明するが、接触片５１の数はこれに限定されない。４つの接触片５１は、嵌合方向前方から見て上下左右に互いに離間して配置され、全体として略角筒状となるように配置されている。
【００３１】
本実施の形態では、各接触片５１は、基端部５ｃから前方に延出された板状の第１平坦部５１ａと、第１平坦部５１ａの先端部から前方に延出されると共に斜め外方に延出されたテーパ部５１ｂと、テーパ部５１ｂの先端部から前方に延出され第１平坦部５１ａと平行な第２平坦部５１ｃと、を有している。第１平坦部５１ａとテーパ部５１ｂの連結部分、および、テーパ部５１ｂと第２平坦部５１ｃとの連結部分は、後述する押圧部材１７がスライドし易いように、丸みを帯びた形状とされる。
【００３２】
このように構成することで、端子挿入部５ｄの先端部（オス端子４の挿入側の端部）には、第２平坦部５１ｃからなる大径部５２が形成され、大径部５２よりも基端部５ｃ側には、大径部５２よりも径が小さい第１平坦部５１ａからなる小径部５３が形成される。
【００３３】
コネクタ１では、両ハウジング６，７を嵌合させた際には、オス端子４の端子部４ａが、メス端子５の端子挿入部５ｄにおける大径部５２に挿入される。大径部５２における上下または左右に対向する接触片５１（第２平坦部５１ｃ）の間隔は、オス端子４の端子部４ａの外径よりも若干大きく構成されている。
【００３４】
また、メス端子５の連結部５ｂには、連結部５ｂの両側部から上方に突出する突起５４が形成されている。
【００３５】
図１〜３に戻り、第２ハウジング７は、中空筒状に形成されており、その嵌合方向前方の開口から第１ハウジング６が挿入されるように構成されている。第２ハウジング７は、アルミニウム等の金属からなる。
【００３６】
第２ハウジング７の両側には、第１ハウジング６を嵌合する際にガイド突起６ｄをガイドするガイド溝７ａが形成されている。ガイド溝７ａは、両ハウジング６，７の嵌合方向に沿って形成されており、嵌合方向前方に開口するように形成されている。
【００３７】
また、第２ハウジング７の両側には、側方に突出するレバー支持突起７ｂが形成されており、このレバー支持突起７ｂを回動軸として第２ハウジング７に対して回動自在にレバー部材１１が設けられている。
【００３８】
レバー部材１１は、第２ハウジング７を両側から挟み込むように設けられる一対の側板１１ａと、側板１１ａ同士を連結する操作部１１ｂとを一体に構成してなる。レバー部材１１は、ナイロンやＰＰＳ等の絶縁性の樹脂からなる。
【００３９】
レバー部材１１の側板１１ａには、第１ハウジング６のガイド突起６ｄをガイド溝７ａとの間で保持し、レバー部材１１の回動に伴ってガイド突起６ｄをガイド溝７ａの奥側（第２ハウジング７の後方側）に引き寄せることで、両ハウジング６，７を互いに引き寄せて両ハウジング６，７を嵌合させるための円弧状のレバー側ガイド溝１２が形成されている。
【００４０】
レバー側ガイド溝１２は、レバー部材１１を開放位置（図１の位置）とした際にガイド溝７ａと連通され、両ハウジング６，７の嵌合時にガイド溝７ａを介してガイド突起６ｄが挿入される挿入部１２ａと、一端が挿入部１２ａと連通され、一端から他端かけて徐々に回動軸との距離が小さくなるように円弧状に形成された円弧部１２ｂと、を有している。
【００４１】
両ハウジング６，７の嵌合時には、ガイド突起６ｄがガイド溝７ａを介してレバー側ガイド溝１２に挿入され、ガイド突起６ｄが挿入部１２ａを介して円弧部１２ｂの一端に挿入される。この状態でレバー部材１１を開放位置から回動させると、ガイド突起６ｄがガイド溝７ａと円弧部１２ｂとに挟まれ保持された状態となる。さらに、レバー部材１１を嵌合位置（図３の位置）まで回動させると、当該回動に伴って円弧部１２ｂが回動され、ガイド突起６ｄが円弧部１２ｂの一端から他端に円弧部１２ｂに沿って移動し、ガイド突起６ｄがガイド溝７ａの奥側へと引き寄せられる。これにより、両ハウジング６，７が互いに引き寄せられ、両ハウジング６，７が嵌合される。
【００４２】
図１〜３および図６，７に示すように、第２コネクタ部３は、ケーブル８を保持するリテーナ部材１３を備えている。リテーナ部材１３は、第２ハウジング７の嵌合方向後方（ケーブル８の延出側）の開口を塞ぐように設けられており、その先端部（メス端子５側の端部）が第２ハウジング７に収容されている。
【００４３】
リテーナ部材１３は、中空筒状に形成されており、３本のケーブル８の先端部が挿通される挿通孔１３ａを有している。挿通孔１３ａ内には、リテーナ部材１３の内周面とケーブル８の外周面との間に介在するようにワイヤシール１４が設けられており、このワイヤシール１４により、リテーナ部材１３とケーブル８との間が水密にシールされている。また、リテーナ部材１３の先端部（メス端子５側の端部）には、リテーナ部材１３の外周面と第２ハウジング７の内周面との間をシールするリテーナ側シール部材１３ｅが設けられている。
【００４４】
挿通孔１３ａには、ワイヤシール１４の前方（メス端子５側）への移動を規制する規制壁１３ｂがリテーナ部材１３と一体に設けられている。また、挿通孔１３ａの後方（ケーブル８の延出側）の開口を塞ぐように蓋部材１５が設けられ、この蓋部材１５により、ワイヤシール１４の後方への移動が規制されている。本実施の形態では、蓋部材１５は、ケーブル８を上下から挟み込むように２分割して構成されている。また、蓋部材１５に形成された突起１５ａを挿通孔１３ａの周縁のリテーナ部材１３に形成された穴１３ｃに係止させることで、蓋部材１５が挿通孔１３ａ内に収容された状態でリテーナ部材１３に固定される構造となっている。
【００４５】
リテーナ部材１３は、３本のケーブル８を等間隔で整列した状態で支持するように構成されている。これにより、３つのメス端子５は、第２ハウジング７内に一直線状かつ等間隔に整列した状態で配置されている。各メス端子５は、両ハウジング６，７を嵌合させた際に対応するオス端子４が挿入されるように、各オス端子４に対応した位置に配置される。
【００４６】
詳細は後述するが、本実施の形態では、第２ハウジング７は、リテーナ部材１３に対してスライド可能に構成されている。これにより、ワイヤシール１４とケーブル８とが相対的に移動することがなくなり、ワイヤシール１４のずれによる防水性の低下を抑制可能になる。
【００４７】
図１〜３および図６，８に示すように、第２コネクタ部３は、各メス端子５を囲むように設けられた３連筒状の端子保護部材１６を備えている。端子保護部材１６は、ナイロンやＰＰＳ等の絶縁性の樹脂からなる。本実施の形態では、非嵌合時にはメス端子５の先端部が第２ハウジング７よりも嵌合方向前方に突出した構造となっているが、端子保護部材１６を備えることにより、コネクタ１の接続作業を行う作業者がメス端子５に直接触れることができないタッチプロテクト構造とすることができる。
【００４８】
端子保護部材１６は、メス端子５を上下から挟み込む上壁１６ａおよび下壁１６ｂと、メス端子５の配列方向の両側から挟み込むように配置される一対の側壁１６ｃと、上壁１６ａと下壁１６ｂと側壁１６ｃの前方の端部同士を連結する前壁１６ｄと、を有し、嵌合方向後方が開口した略直方体形状に形成されている。また、端子保護部材１６は、その内部空間を仕切る側壁１６ｃと平行な２つの仕切り壁１６ｅを有し、両仕切り壁１６ｅで仕切られた３つの空間に、それぞれメス端子５を収容して構成されている。仕切り壁１６ｅの上端部は上壁１６ａに、下端部は下壁１６ｂに、前方の端部は前壁１６ｄにそれぞれ連結されている。仕切り壁１６ｅの後方の端部は、メス端子５間の縁面距離を確保するために、メス端子５よりも後方に延出されていることが望ましい。
【００４９】
端子保護部材１６の前壁１６ｄには、オス端子４を挿入するための円形の挿入孔１６ｈが形成されている。メス端子５は、その接触片５１の先端を前壁１６ｄに当接させて配置されている。
【００５０】
また、端子保護部材１６の上壁１６ａと下壁１６ｂの嵌合方向後方の端部には係止穴１６ｆが形成されており、この係止穴１６ｆに、リテーナ部材１３から前方に延出された係止爪１３ｄを係止させることで、端子保護部材１６とリテーナ部材１３とが固定されている。
【００５１】
このように、本実施の形態では、メス端子５とケーブル８と端子保護部材１６とリテーナ部材１３とが一体構造となっている。以下、これらメス端子５、ケーブル８、端子保護部材１６、およびリテーナ部材１３が一体とされたものを内部構造体２０と呼称する。
【００５２】
端子保護部材１６の上壁１６ａと下壁１６ｂにおけるメス端子５と重なる位置には、嵌合方向に沿って溝１６ｇが形成されている。詳細は後述するが、この溝１６ｇは、第２ハウジング７のスライド時に第２インナーハウジング１８が端子保護部材１６に干渉することを抑制するためのものである。
【００５３】
さて、本実施の形態に係るコネクタ１では、第２ハウジング７は、メス端子５に対して両ハウジング６，７の嵌合方向にスライド可能に構成されており、第２コネクタ部３は、第２ハウジング７と共にスライドするように設けられた押圧部材１７をさらに備えている。
【００５４】
図９（ａ）に示すように、本実施の形態では、押圧部材１７は、筒状に形成されており、メス端子５を外方から囲むようにして配置されている。押圧部材１７は、嵌合方向前方に配置された略角筒状（角を丸めた角筒状）の前側筒状部１７ａと、嵌合方向後方に配置された略角筒状（角を丸めた角筒状）の後側筒状部１７ｂと、両筒状部１７ａ，１７ｂを連結する４つの押圧片１７ｃと、を有している。押圧片１７ｃは、その中央部が両筒状部１７ａ，１７ｂよりも内方に突出するように形成されており、この押圧片１７ｃがメス端子５（接触片５１）を弾性的に内方に押圧するように構成されている。つまり、押圧部材１７は、筒状のばね部材からなる。押圧部材１７は、例えばステンレスからなる。
【００５５】
図９（ｂ）に示すように、コネクタ１では、３つのメス端子５に対応するように３つの押圧部材１７が備えられている。各押圧部材１７は、ナイロンやＰＰＳ等の絶縁性の樹脂からなる第２インナーハウジング１８を介して第２ハウジング７に固定されている。
【００５６】
第２インナーハウジング１８は、第２ハウジング７の内壁に内方に突出するように形成された内方突起７ｃに係止され固定される略筒状の係止部１８ａと、係止部１８ａから前方に延出され、押圧部材１７を上下から挟み込んで支持する３対の押圧部材固定片１８ｂとを有している。押圧部材１７の前側筒状部１７ａには、押圧部材１７の先端部から内方に突出する突起１８ｃが係止される貫通孔１７ｄが形成されており、貫通孔１７ｄに突起１８ｃを係止させることによって、押圧部材１７が第２インナーハウジング１８に固定されている。
【００５７】
このように、本実施の形態では、第２ハウジング７とレバー部材１１と第２インナーハウジング１８と押圧部材１７とが一体構造となっている。これら第２ハウジング７、レバー部材１１、第２インナーハウジング１８、および押圧部材１７が一体とされたものを外部構造体２１と呼称する。本実施の形態に係るコネクタ１では、図９（ｂ）に示される外部構造体２１が、図６に示される内部構造体２０に対して嵌合方向にスライド可能に構成されている。
【００５８】
押圧部材１７は、メス端子５と端子保護部材１６との間に配置される。第２インナーハウジング１８の押圧部材固定片１８ｂは、端子保護部材１６の上壁１６ａおよび下壁１６ｂに形成された溝１６ｇを挿通されて押圧部材１７を支持するように構成されている。第２ハウジング７をスライドした際には、第２インナーハウジング１８の押圧部材固定片１８ｂが溝１６ｇに沿ってスライド移動することになる。
【００５９】
コネクタ１では、押圧部材１７は、第２ハウジング７のスライドに伴って、接触片５１に押圧力を付与しない非押圧位置と、接触片５１を内方に押圧してオス端子４の外周面に接触させる押圧位置との間でスライド移動するように構成されている。
【００６０】
より具体的には、押圧部材１７は、第２ハウジング７を嵌合方向後方にスライドさせたときにメス端子５の端子挿入部５ｄにおける小径部５３の周囲に位置し、第２ハウジング７を嵌合方向前方にスライドさせたときにメス端子５の端子挿入部５ｄにおける大径部５２の周囲に位置し大径部５２の接触片５１（第２平坦部５１ｃ）を内方に押圧してオス端子４の外周面に接触させるように構成されている。つまり、本実施の形態では、小径部５３の周囲が非押圧位置、大径部５２の周囲が押圧位置となる。
【００６１】
押圧部材１７の上下または左右に対向する押圧片１７ｃの間隔は、小径部５３において上下または左右に対向する接触片５１（第１平坦部５１ａ）の外面同士の間隔より大きく、かつ、大径部５２において上下又は左右に対向する接触片５１（第２平坦部５１ｃ）の外面同士の間隔よりも小さくなるように調整される。
【００６２】
また、図示していないが、コネクタ１では、３本のケーブル８の周囲を覆うようにシールド部材としての編組シールドが設けられている。編組シールドの端部は、第２ハウジング７の外周に帯状の締結部材により固定されている。本実施の形態では、両コネクタ部２，３の嵌合時にケーブル８に対して第２ハウジング７がスライド移動するため、例えば、ケーブル８の周囲に設けるシールド部材としてテープ状のものを用いた場合には、第２ハウジング７のスライドに伴ってシールド部材が引っ張られ破損してしまうおそれがある。ケーブル８の周囲に設けるシールド部材として編組シールドを用いることで、第２ハウジング７のスライド移動に応じて編組シールドが伸縮し、シールド部材の破損を抑制することが可能である。
【００６３】
（第１コネクタ部２と第２コネクタ部３の嵌合）
両コネクタ部２，３を嵌合させる際には、まず、図１（ａ），（ｂ）に示すように、第２コネクタ部３において、レバー部材１１を開放位置とし、第２ハウジング７（外部構造体２１）をメス端子５（内部構造体２０）に対して嵌合方向後方にスライドした状態とする。この状態においては、図１０（ａ）に示すように、押圧部材１７は、小径部５３の周囲に位置しており、接触片５１に押圧力は付与されていない。
【００６４】
その後、図２（ａ），（ｂ）に示すように、第１ハウジング６を第２ハウジング７内に挿入する。このとき、第１ハウジング６のガイド突起６ｄがガイド溝７ａでガイドされ、レバー側ガイド溝１２に収容される。また、オス端子４の端子部４ａがメス端子５の端子挿入部５ｄにおける大径部５２に挿入される。本実施の形態では、この時点では押圧部材１７によって接触片５１に押圧力が付与されていないので、オス端子４をメス端子５に挿入することにより両端子４，５に摩耗が発生することが抑制される。
【００６５】
また、両ハウジング６，７を嵌合すると、端子保護部材１６の前壁１６ｄが、規制手段１０であるオス端子４の大径部４ｄ、および大径部４ｄの周縁の第１インナーハウジング９（蓋部９ａ）に当接され、メス端子５（内部構造体２０）の嵌合方向前方への移動が規制される。本実施の形態では、規制手段１０の一部として金属からなるオス端子４の大径部４ｄを用いているため、第２ハウジング７をスライドさせる際の力によって樹脂からなる第１インナーハウジング９が変形してしまうことを抑制できる。
【００６６】
その後、図３（ａ），（ｂ）に示すように、レバー部材１１を嵌合位置まで回動させると、第２ハウジング７（外部構造体２１）がメス端子５（内部構造体２０）に対して嵌合方向前方にスライドして両ハウジング６，７が互いに引き寄せられ、両ハウジング６，７が嵌合される。また、図１０（ｂ）に示すように、第２ハウジング７のスライドに伴って、押圧部材１７がメス端子５の端子挿入部５ｄにおける小径部５３から大径部５２にスライド移動し、押圧部材１７（押圧片１７ｃ）が接触片５１（第２平坦部５１ｃ）を内方に弾性的に押圧する。これにより、接触片５１（第２平坦部５１ｃ）がオス端子４（端子部４ａ）の外周面に押し付けられ、両端子４，５が押圧部材１７の押圧力により固定され電気的に接続される。
【００６７】
（実施の形態の作用及び効果）
以上説明したように、本実施の形態に係るコネクタ１では、第２ハウジング７がメス端子５に対して嵌合方向にスライド可能に構成されており、第２コネクタ部３は、第２ハウジング７と共にスライドするように設けられた押圧部材１７を備え、押圧部材１７は、第２ハウジング７のスライドに伴って、接触片５１に押圧力を付与しない非押圧位置と、接触片５１を内方に押圧してオス端子４の外周面に接触させる押圧位置との間でスライド移動するように構成されている。
【００６８】
このように構成することで、押圧部材１７による押圧力を付与しない状態でオス端子４をメス端子５に挿入することが可能となり、両端子４，５の摩耗を抑制することが可能になる。また、オス端子４をメス端子５に挿入した後に、第２ハウジング７をスライドさせ押圧部材１７による押圧力を付与することが可能となり、押圧部材１７により両端子４，５を強固に保持し、振動による両端子４，５の位置ずれや接触抵抗の増加を抑制することが可能になる。つまり、本実施の形態によれば、端子４，５間の押圧力を高めつつも端子４，５の摩耗を抑制可能なコネクタ１を実現できる。
【００６９】
（実施の形態のまとめ）
次に、以上説明した実施の形態から把握される技術思想について、実施の形態における符号等を援用して記載する。ただし、以下の記載における各符号等は、特許請求の範囲における構成要素を実施の形態に具体的に示した部材等に限定するものではない。
【００７０】
［１］ピン形状のオス端子（４）が第１ハウジング（６）内に収容されている第１コネクタ部（２）と、筒状のメス端子（５）が第２ハウジング（７）に収容されている第２コネクタ部（３）と、を備え、前記両ハウジング（６，７）が嵌合された状態において、前記オス端子（４）が前記メス端子（５）に挿入され前記両端子（４，５）が電気的に接続されているコネクタ（１）であって、前記メス端子（５）は、筒状の基端部（５ｃ）と、前記基端部（５ｃ）から前記オス端子（４）の挿入側に延出されている複数の接触片（５１）を有し前記複数の接触片（５１）が筒状に配置されている端子挿入部（５ｄ）と、を有し、前記第２ハウジング（７）は、前記メス端子（５）に対して前記両ハウジング（６，７）の嵌合方向にスライド可能に構成されており、前記第２コネクタ部（３）は、前記第２ハウジング（７）と共にスライドするように設けられている押圧部材（１７）を備え、前記押圧部材（１７）は、前記第２ハウジング（７）のスライドに伴って、前記接触片（５１）に押圧力を付与しない非押圧位置と、前記接触片（５１）を内方に押圧して前記オス端子（４）の外周面に接触させる押圧位置との間でスライド移動するように構成されている、コネクタ（１）。
【００７１】
［２］前記端子挿入部（５ｄ）は、前記オス端子（４）の挿入側の端部に形成されている大径部（５２）と、前記大径部（５２）よりも前記基端部側に形成されている前記大径部よりも径が小さい小径部（５３）と、を有し、前記オス端子（４）は、前記両ハウジング（６，７）が嵌合された状態において前記大径部（５２）に挿入されるように構成されており、前記押圧部材（１７）は、前記メス端子（５）を外方から囲む筒状に形成されており、前記第２ハウジング（７）を嵌合方向後方にスライドさせたとき前記小径部（５３）の周囲に位置し、前記第２ハウジング（７）を嵌合方向前方にスライドさせたとき前記大径部（５２）の周囲に位置し前記大径部（５２）の前記接触片（５１）を内方に押圧して前記オス端子（４）の外周面に接触させるように構成されている、［１］に記載のコネクタ（１）。
【００７２】
［３］前記押圧部材（１７）は、前記接触片（５１）を弾性的に押圧するように構成される、［１］または［２］に記載のコネクタ（１）。
【００７３】
［４］前記メス端子（５）は、ケーブル（８）の端部に設けられており、前記第２コネクタ部（３）は、少なくとも前記メス端子（５）側の端部が前記第２ハウジング（７）に収容されており前記ケーブル（８）を保持するリテーナ部材（１３）と、前記リテーナ部材（１３）と前記ケーブル（８）間との間に設けられているワイヤシール（１４）と、を備え、前記第２ハウジング（７）は、前記リテーナ部材（１３）に対してスライド可能に構成されている、［１］乃至［３］の何れか１項に記載のコネクタ（１）。
【００７４】
［５］前記第１コネクタ部（２）は、前記両ハウジング（６，７）が嵌合された状態において、前記メス端子（５）の嵌合方向前方への移動を規制する規制手段（１０）を有し、前記規制手段（１０）により、前記第２ハウジング（７）の嵌合方向前方へのスライドに伴って前記メス端子（５）が移動しないように構成されている、［１］乃至［４］の何れか１項に記載のコネクタ（１）。
【００７５】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００７６】
本発明は、その趣旨を逸脱しない範囲で適宜変形して実施することが可能である。
【００７７】
例えば、上記実施の形態では、規制手段１０でメス端子５（内部構造体２０）の嵌合方向前方への動きを規制することで、レバー部材１１の回動に伴って第２ハウジング７（外部構造体２１）がメス端子５（内部構造体２０）に対してスライド移動するように構成したが、これに限らず、例えば、レバー部材１１に連動するラック・アンド・ピニオン方式の歯車機構等を用い、両ハウジング６，７が嵌合されているか否かにかかわらず、レバー部材１１の回動に連動して内部構造体２０と外部構造体２１が相対的にスライドするように構成してもよい。
【符号の説明】
【００７８】
１…コネクタ
２…第１コネクタ部
３…第２コネクタ部
４…オス端子
５…メス端子
５ｃ…基端部
５ｄ…端子挿入部
５１…接触片
５２…大径部
５３…小径部
６…第１ハウジング
７…第２ハウジング
８…ケーブル
９…第１インナーハウジング
１０…規制手段
１１…レバー部材
１６…端子保護部材
１７…押圧部材
１８…第２インナーハウジング
【図１】
0006617545.tif 000002
【図２】
0006617545.tif 000003
【図３】
0006617545.tif 000004
【図４】
0006617545.tif 000005
【図５】
0006617545.tif 000006
【図６】
0006617545.tif 000007
【図７】
0006617545.tif 000008
【図８】
0006617545.tif 000009
【図９】
0006617545.tif 000010
【図１０】
0006617545.tif 000011